(57)【要約】【課題】クリーム状や液体状石けん等の洗浄剤から豊富で泡立ちの良い泡を簡単に作り出すことができ、特に、片手等による容易な泡立て作業が行える簡易な構成の洗浄剤の泡立て器を提供する。【解決手段】上方が開口した容器１の少なくとも内壁面１ｂに、長さ又は硬さの異なる二種以上の泡立て用のブラシＢ１（Ｂａ），Ｂ２（Ｂｂ），Ｂ３（Ｂｃ）がその位置を異ならせて所定幅で植毛され、この容器１に洗浄剤と必要に応じて水や湯が入れられて使用される。前記長さの異なる内壁面のブラシは、少なくとも長さの短い又は硬さの硬いブラシＢ１（Ｂａ）が容器１内側の底面１ａの側に所定幅で植毛されている。【選択図】　図５
2004113287.tif 000002
【特許請求の範囲】
【請求項１】
上方が開口した容器の少なくとも内壁面に、泡立て用のブラシが植毛され、この容器に洗浄剤と必要に応じて水や湯が入れられて使用されることを特徴とする洗浄剤の泡立て器。
【請求項２】
上方が開口した容器の内壁面と内側の底面に、泡立て用のブラシが植毛され、この容器に洗浄剤と必要に応じて水や湯が入れられて使用されることを特徴とする洗浄剤の泡立て器。
【請求項３】
前記内壁面のブラシは、その長さ又は硬さの異なる二種以上のブラシがその位置を異ならせて所定幅で植毛されていることを特徴とする請求項１又は請求項２記載の洗浄剤の泡立て器。
【請求項４】
前記長さの異なる内壁面のブラシは、少なくとも長さの短いブラシが容器内側の底面の側に所定幅で植毛されていることを特徴とする請求項３記載の洗浄剤の泡立て器。
【請求項５】
前記硬さの異なる内壁面のブラシは、少なくとも硬さの硬いブラシが容器内側の底面の側に所定幅で植毛されていることを特徴とする請求項３記載の洗浄剤の泡立て器。
【請求項６】
前記容器には容器を所定個所に固定するための固定手段が設けられていることを特徴とする請求項１乃至請求項５記載の洗浄剤の泡立て器。
【発明の詳細な説明】
【０００１】
【発明の属する技術分野】
この発明は、クリーム状、液体状、粉状や固形状の洗浄剤から泡を作り出す洗浄剤の泡立て器に関する。
【０００２】
【従来の技術】
従来、洗顔クリーム等のクリーム状、石けん水等の液体状の洗浄剤や、粉状石けん・固形石けん等の洗浄剤により、顔や手や髪などを洗浄したり髭剃り用等に使用する際には、手に適量の洗浄剤と水や湯（或いはぬるま湯）を取り、両手を擦り付けるようにして泡立てた後に、顔や手などを洗浄したり髭剃り用等に使用される。洗浄効果を高める上では、洗浄剤を十分に泡立てた後に泡で顔や手などを包み込むようにしながら弱い力で洗浄することが好ましい。洗浄剤を泡立てることなく顔や手などを洗浄したり髭剃り用等に使用されると、手との摩擦や洗浄剤の刺激により顔や手などを傷つけ肌荒れの原因となってしまう（顔を洗浄する場合に刺激が強すぎるときは特に注意が必要である）。これに対して、洗浄剤を十分に泡立てることにより顔や手などを洗浄したり髭剃り用等に使用されると、泡立てられた洗浄剤は汚れ粒子を吸着する吸着力が強く、泡が皮膚の奥まで入り込むため、クリーム状や固形状の洗浄剤をそのまま使用する場合と比較して洗浄力が向上し、弱い力で洗浄しても十分な洗浄力が得られる。
【０００３】
このため、従来から洗浄剤を泡立てる泡立て具が提案されている。この洗浄剤の泡立て具は、例えばスポンジ状やネット状のもの等があり、スポンジにクリーム状や液体状の洗浄剤を付着させた後にスポンジを揉むことにより洗浄剤を泡立てたり（特開２０００−３４２４８０号公報、特開２００２−１１２８３０号公報など）、ネットの中に固形洗浄剤を入れたり液体状やクリーム状の洗浄剤を付着させた後にネットを揉んだり摺り合わせることにより洗浄剤を泡立てる（特開２０００−２４５６４９号公報、特開２００１−０３７６７０号公報、特開２００１−１６９９６０号公報など）。これらのスポンジ状やネット状の泡立て具を使用して顔などを洗浄するときは、まずスポンジやネットを揉む等して洗浄剤を泡立てた後にスポンジやネットを絞って泡を手に取り（泡立て作業）、顔などを泡で包み込むようにしながら手で擦って洗浄する（洗浄作業）。髭剃り用に使用するときは、髭剃り用のブラシ（刷毛）で洗浄剤を泡立てた後にこの刷毛で髭の箇所を塗布するようにする。
【０００４】
【発明が解決しようとする課題】
しかしながら、上記従来の洗浄剤の泡立て具は、スポンジやネットにより泡立てられた洗浄剤を絞り出して手に受けて使用するため、一度の泡立て作業で作られる泡の量は手に収まる分が限界であり、手に受けられた泡は一度の洗浄作業ですべて使用されてしまう。このため、一度の泡立てにより顔などを洗浄しきれなかった場合には洗浄剤の泡を補充するために再度泡立て作業を行わなければならず、他の髭剃り用等の他に使用することはできず、別個に泡立て作業を行わなければならなかった。
【０００５】
また、上記従来の泡立て具を使用して洗浄剤を泡立てるときは、両手で泡立て作業が行われることが通常である。すなわち、まずスポンジやネットに洗浄剤を付着させるが、通常は一方の手にスポンジやネットを持ち、他方の手に洗浄剤を持って付着させ、さらに、洗浄剤を泡立てた後にスポンジやネットを絞って泡を手に取るときは、一方の手にスポンジやネットを持って絞り、他方の手に絞り出された洗浄剤の泡を受け取ることが通常である。このため、例えば片方の手に障害を有していたり片方の手に物を持っているため、一方の手しか使用できない場合には、泡立て作業が困難となっていた。なお、洗浄剤を泡立てる装置がないわけではないが、構造が複雑で高価である。
【０００６】
そこで本発明の目的は、クリーム状や液体状石けん等の洗浄剤から豊富で泡立ちの良い泡を簡単に作り出すことができ、特に、片手等による容易な泡立て作業が行える簡易な構成の洗浄剤の泡立て器を提供することにある。
【０００７】
【課題を解決するための手段】
上記課題を解決するために、本発明の請求項１記載の洗浄剤の泡立て器は、上方が開口した容器の少なくとも内壁面に、泡立て用のブラシが植毛され、この容器に洗浄剤と必要に応じて水や湯が入れられて使用されることを特徴とする。また、本発明の請求項２記載の洗浄剤の泡立て器は、上方が開口した容器の内壁面と内側底面に、泡立て用のブラシが植毛され、この容器に洗浄剤と必要に応じて水や湯が入れられて使用されることを特徴とする。ここで「ブラシ」とは、ブラシを構成するブラシ毛の集合体を意味する。
【０００８】
これらの発明によれば、容器の開口から容器内にクリーム状や液体状等の洗浄剤を入れるとともに、必要に応じて適量の水や湯を入れた後に、容器の上方開口から手を挿入してブラシに擦り付けるようにしながら手をかき回すようにする。また、洗浄剤が洗顔クリーム等のクリーム状の場合は、洗顔クリームを適量手にとり、容器内で手を回して手につけた洗顔クリームをブラシに擦り付ける。このとき必要に応じて洗浄剤に水や湯と馴染ませるようにする。すると、ブラシと手により洗浄剤と水（又は湯）と空気とが効率よく混ざり合って洗浄剤が泡立てられ、この泡が容器内に溜められる。
【０００９】
本発明の請求項３記載の洗浄剤の泡立て器は、前記請求項１又は請求項２記載の洗浄剤の泡立て器を前提として、前記内壁面のブラシは、その長さ又は硬さの異なる二種以上のブラシがその位置を異ならせて所定幅で植毛されていることを特徴とする。ここで「長さ又は硬さの異なるブラシ」とは、長さ又は硬さの異なるブラシ毛の集合体を意味する。
【００１０】
この発明によれば、容器の内壁面に設けられたブラシは二種以上の長さ又は硬さのブラシが集合して構成されているため、洗浄剤を二種以上のブラシに擦り付けるようにすると（手で下方から上方にかき回すようにすると）、きめ細やで良質な泡を短時間で得ることができる。ブラシはブラシの長さ又は硬さの一方のみが二種以上であっても良いし、長さ及び硬さの両方が二種以上であっても良い。
【００１１】
本発明の請求項４記載の洗浄剤の泡立て器は、前記請求項３記載の洗浄剤の泡立て器を前提として、前記長さの異なる内壁面のブラシは、少なくとも長さの短いブラシが容器内側の底面の側に所定幅で植毛されていることを特徴とする。また、本発明の請求項５記載の洗浄剤の泡立て器は、前記請求項３記載の洗浄剤の泡立て器を前提として、前記硬さの異なる内壁面のブラシは、少なくとも硬さの硬いブラシが容器内側の底面の側に所定幅で植毛されていることを特徴とする。
【００１２】
この発明の洗浄剤の泡立て器において、液体状、粉状や固形状等の洗浄剤を容器に入れた状態で使用する場合において、きめ細やかな泡を速やかに泡立てるには、まず洗浄剤と水（又は湯やぬるま湯）とを十分に混合させる必要がある。長さの長いブラシや柔らかいブラシが容器内側の底面の側に植毛されていと、そのブラシ毛長の長いブラシの間（毛と毛の間）に入り込んだり、柔軟性のある柔らかいブラシでは洗浄剤と水（又は湯やぬるま湯）との混合が不十分になり、泡立ちにムラが生じたり、泡立ちが十分でないことがある。しかし、これらの発明によれば、液体状や粉状の洗浄剤を容器に入れたときに、このような不都合がなく、きめ細やかで泡立ちの良い泡が得られるようになる。そして、底面側の長さの短いブラシや硬さの硬いブラシの上方に、これらよりも長さの長いブラシや硬さの柔らかいブラシを配すると、液体状、粉状や固形状等の洗浄剤を容器に入れた状態で使用する場合において、洗浄剤を付着させた手をかき回しながら徐々に上方に上げて行くと、きめ細やかで泡立ちの良い泡が得られるようになる。
【００１３】
本発明の請求項６記載の洗浄剤の泡立て器は、前記請求項１乃至請求項５記載の洗浄剤の泡立て器を前提として、前記容器には容器を所定個所に固定するための固定手段が設けられていることを特徴とする。
【００１４】
この発明によれば、容器を所定個所に固定するための固定手段が設けられていることから、片手による容易な泡立て作業が行える。すなわち、片手に障害のあるような人でも、他の片方の手を洗浄剤の泡立て器内に入れてブラシと洗浄剤とを擦り付けることにより、容易に洗浄剤を泡立たせて、洗浄することができる。
【００１５】
【発明の実施の形態】
以下、本考案の一実施の形態を図面を参照しながら説明する。
【００１６】
（第１の実施の形態）
本実施の形態の洗浄剤の泡立て器は、図２に示すように、上方が開口した円筒形状を呈し、この円筒形状の容器１の内壁面１ｂと内側の底面１ａに、泡立て用のブラシＢ，ＢＢが植毛されている。容器１は、合成樹脂製のものであるが、鋼鉄製や木製等でも良い。ここでブラシＢ，ＢＢとは、複数のブラシ毛の集合体を意味する。
【００１７】
泡立て用のブラシＢ，ＢＢは、容器の内壁面１ｂと内側の底面１ａに設けられた植毛用の穴に植毛され、容器１の内壁面１ｂと内側の底面１ａの全域に植毛されている。ブラシＢの配置としては、ブラシＢが植毛されたシートやテープを容器１の内壁面１ｂ等に取り付けても良い。本実施の形態では、底面１ａのブラシＢＢのブラシ毛（植毛の方向）は、容器１の内側の底面１ａでは、底面１ａに対して垂直に植毛され、容器の内壁面１ｂのブラシＢは、内壁面１ｂに対して垂直に植毛されているが、斜めに植毛される等植毛の方向は特に問題とならない。また、二種以上の長さ又は硬さのブラシ毛を全体的に混合させても良いし、長さ又は硬さごとに所定領域に分けて設けても良い。
【００１８】
容器１は、円筒形状を呈し、片手Ｔが入れられる大きさを有する。片手Ｔを円筒状の容器の上方開口から丁度中央に差し入れると、泡立て用のブラシＢに接触しないが、片手を少しずらすと、内壁面１ｂのブラシＢと接触する大きさである。これは、方手Ｔを挿入して泡立て用のブラシＢを摩擦するように（内壁面１ｂに沿って）かき回すときの動作を容易にさせるためである。つまり、円を描くように片手Ｔを動かすことができるからである（手による攪拌が行われやすくなる）。容器１の形状としては、円筒形状でも良いし、上方の口径が大きなすり鉢や半球形状やその他の形状でも良い。容器１には、容器１を所定個所（洗面台や風呂場や玄関の下駄箱の上方の所定箇所）に固定するための固定手段５が設けられている。本実施の形態の固定手段５は、ゴム製の円盤状を呈し、容器１の底面１ａが嵌合される凹状の嵌合溝を有して、容器１が容易に移動したり倒れないようになっている。この固定手段５としては、図２に示すように、ゴム製等の連結具７と吸盤５ａを取り付けたものであったり、容器１の外周を保持する金具５ｂに吸盤５ａを取り付けたものであったり、蛇腹状の伸縮性の部材８に吸盤５ａを取り付け、所定長に伸縮させたりするものでも良い（図２の仮想線参照）。なお、容器１に、その内部に空気を供給するための穴をいくつか設けておくことも可能である。
【００１９】
本明細書中では、洗浄剤とは、洗顔クリーム、髭剃り用クリーム、クレンジングクリーム、固形石けん、粉状のせっけん、水せっけん、薬用せっけん、化粧石けん、ハンドソープ（ハンドクリーナー）、洗髪用シャンプー、動物用シャンプー等を広く含むものとして使用する。これらの中で、水や湯を使用して泡立てるものについては、水や湯を洗浄剤（洗顔クリームや固形石けん等）とともに使用するが、水せっけん等の液体状の洗浄剤の場合は、水や湯を使用しなくとも良い。
【００２０】
この洗浄剤の泡立て器により、洗顔クリーム等のクリーム状の洗浄剤を使用して顔や手を洗浄する場合は、適量の洗顔クリームを片手Ｔにとり、図３に示すように、容器１内で片手Ｔを回して片手Ｔにつけた洗顔クリームをブラシＢに擦り付ける。このとき必要に応じて容器１内に水や湯を予め入れておき、水や湯と馴染ませる。すると、ブラシＢと片手Ｔにより洗浄剤と水（又は湯）と空気とが効率よく混ざり合って洗浄剤が泡立てられ、この泡が容器１内に溜められる。片手Ｔによる十分な攪拌、すなわち、洗顔クリームを片手ＴでブラシＢに十分に擦り付けるようにすると、豊富な泡立ちの良い泡が容器１から溢れるように作り出される。なお、洗浄剤が洗顔クリーム等のクリーム状の場合は、適量手にとった洗顔クリームに水道水等の水や湯沸かし機の湯（或いはぬるま湯）を付着させて（つまり、容器に水や湯を入れないで）、水等が付着した洗顔クリームを手でブラシに擦り付けるようにしながら手をかき回すようにしても良い。また、洗剤を泡立てる際には、泡立て器１を一方の手で押さえながら片手Ｔで攪拌しても良いし、所定箇所に固定手段５で固定させてから片手Ｔで攪拌しても良い。図４は、容器１を洗面台の内側側面に固定したときの例を示す図である。固定手段５により容器１を洗面台等に固定すると、片手Ｔのみでも洗剤を簡単に泡立てることができる。
【００２１】
次に、液体状、粉状や固定状の洗浄剤（例えば、水石けん、粉石けん、固形石けん等）を使用して顔や手を洗浄する場合は、液体状、粉状や固形状等の洗浄剤を容器１に入れるとともに、水（又は湯やぬるま湯）を入れて使用する。すなわち、これらを容器１に入れると、底面１ａのブラシＢＢの毛と毛と間やブラシＢの上に洗浄剤や水等が配されるが、洗浄剤を水や湯と馴染ませながら、さらに内壁面１ｂのブラシＢにも擦り付けながら片手Ｔをかき回すようにする。すると、ブラシと手により洗浄剤と水（又は湯）と空気とが効率よく混ざり合って洗浄剤が泡立てられ、このきめの細かな丈夫な泡が容器内に溜められる。
【００２２】
容器１内に溜められたきめの細かな丈夫な泡は、顔や手などを洗浄したり髭剃り用等に使用される。この泡は、容器１内に溜められるので、洗顔に使用した後、髭剃り用にも使用できる。髭剃り用に使用するときは、手の代わりに髭剃り用のブラシ（刷毛）で洗浄剤を泡立てる。髭剃り用のブラシ（刷毛）と容器１のブラシＢ，ＢＢが擦れ合って、きめの細かな丈夫な泡が作られる。きめの細かな丈夫な泡は、汚れを吸着する面積が広くなるので、汚れが良く落ち、すすぎも泡切れが良い。なお、手を洗浄する場合、手の汚れの部分をブラシに擦り付けるようにして使用することも可能である。
【００２３】
本実施の形態によれば、直接容器１の中に片手Ｔを入れて、洗顔クリーム等の洗浄剤をブラシＢに擦り付けることにより、片手で洗浄剤を泡立てると同時に手を洗浄することも可能である。また、ペット（犬や猫等の動物）の脚などを洗浄する場合は、あらかじめ洗浄剤を泡立てておいた容器１の中に動物の脚などを挿入してブラシＢ，ＢＢに擦り付けることにより洗浄することも可能である。
【００２４】
（第２の実施の形態）
本実施の形態の洗浄剤の泡立て器は、図５に示すように、内壁面１ｂの泡立て用のブラシＢは、２種以上の長さ又は硬さのブラシＢがその位置を異ならせて植毛されている。ここで「長さ又は硬さの異なるブラシＢ」とは、長さ又は硬さの異なるブラシ毛の集合体を意味する。本実施の形態では、ブラシＢは容器１の底面１ａの側から順に所定幅で短毛Ｂ１・長毛Ｂ２・短毛Ｂ３の順に並んでいる。すなわち、泡立て用の内壁面のブラシＢは、所定の長さの第１の所定長ブラシＢ１と、第１の所定長ブラシＢ１よりも長い第２の所定長ブラシＢ２と、第１の所定長ブラシＢ１と同じ長さの第３の所定長ブラシＢ３が、容器１内側の底面１ａの側から順に所定幅で植毛されている。容器１の開口部１ｃ近傍では、泡立て用のブラシＢは植毛されていない。このようなブラシ配列の容器１に片手を入れると、長さの長い第２の所定長ブラシＢ２と手が接触するようになっている。
【００２５】
上記例は、長さの異なる植毛の例であるが、図６に示すように、硬さの異なるブラシＢａ，Ｂｂ，Ｂｃがその位置を異ならせて内壁面１ｂに植毛されていても良い。すなわち、内壁面１ｂのブラシＢは、所定の硬さの第１の所定硬ブラシＢａと、第１の所定硬ブラシＢａよりも柔らかい第２の所定硬ブラシＢｂと、第１の所定硬ブラシＢａと同じ硬さの第３の所定硬ブラシＢｃが、容器１内側の底面１ａの側から順に所定幅で植毛されていても良い。底面１ａのブラシＢＢは、上記第１の所定硬ブラシＢａと同じである。
【００２６】
長さの短いブラシＢ１が内壁面１ｂにおいて底面１ａの側に植毛されているのは、液体状や粉状の洗浄剤を容器１に入れたときに、ブラシ毛長の長いブラシであると、その長いブラシ毛の間に入り込んで、泡立たせることができない（残留状態のままで泡立ちが十分でない）ことがあるからである。同じように、硬さの硬いブラシＢａが底面１ａの側に植毛されているのは、液体状や粉状の洗浄剤を容器１に入れたときに、柔らかいブラシであると、丈夫できめ細かな泡を速やかに泡立たせができないことがあるからである。すなわち、液体状や粉状の洗浄剤を容器１に入れ、片手で内壁面１ｂの底面１ａ側から洗浄剤をブラシＢに擦り付けるときに、底面１ａ側のブラシＢが硬い第１の所定硬ブラシＢａであると、擦り付けたときの反発力が強く、きめ細かな泡を速やかに泡立たせができる。このような理由から、底面１ａ側のブラシＢは、上記第１の所定長ブラシＢ１と第１の所定硬ブラシＢａとの機能を併せ持つもの、つまり、短くて硬さの硬いブラシ（以下、短硬毛という。）Ｂであることが好ましい（図５）。なお、底面１ａのブラシＢＢも同じである。
【００２７】
本実施の形態の洗浄剤の泡立て器１により、洗顔クリームを使用して顔や手を洗浄する場合は、第１の実施の形態のように、適量の洗顔クリームを片手Ｔにとり、図３に示すように、容器１内でその片手Ｔを回して手Ｔに付着させた洗顔クリームをブラシＢに擦り付け、水や湯と馴染ませながら手を回すと（実際には単にかき回すようにするだけで良い。）、洗顔等に優れる良質で豊富な泡を、これを作り出そうと特に意識しなくとも、この泡を容器１から溢れるように作り出すことができる。次に、液体状、粉状や固定状の洗浄剤（例えば、水石けん、粉石けん、固形石けん等）を使用して顔や手を洗浄する場合は、液体状、粉状や固形状等の洗浄剤を容器１に入れるとともに、水（又は湯やぬるま湯）を入れて使用する。すなわち、これらを容器１に入れると、底面１ａのブラシＢＢの毛と毛と間やブラシＢの上に洗浄剤や水等が配されるが、洗浄剤を水や湯と馴染ませながら、さらに内壁面１ｂのブラシＢにも擦り付けながら片手Ｔをかき回し、片手を徐々に上げて行くと、ブラシＢ，ＢＢと片手Ｔにより洗浄剤と水（又は湯）と空気とが効率よく混ざり合って洗浄剤が泡立てられ、ブラシＢのない上方開口部１ｃからきめの細かな丈夫な泡がすくい上げられる。
【００２８】
本実施の形態では、泡立て用のブラシＢは、最初に片手を入れたときに、長さの長い第２の所定長ブラシＢ２が手に接触することから、指先で強く底面１ａをかき回して泡や水等が拡散しても、第２の所定長ブラシＢ２と手によって隙間が塞がれているので、容器１から飛び散ることがない。また、容器１の開口部１ｃ近傍にはブラシが植毛されていないために、泡の取り出しの際にブラシに付着した泡が容器１から飛び散ることがなく、この泡の取り出しが容易である。また、手を洗浄する場合、手の汚れの部分に応じて、長さ又は硬さの異なる二種以上のブラシＢに擦り付けるようにして使用することもできる。また、容器１内側の底面１ｂに設けられたブラシＢｄは、容器１の内壁面１ｂにおいて底面１ａの側に設けられる短硬毛のブラシＢａと同一のブラシ毛から構成されており、主に洗剤と水との混合や、指先などの汚れ落としの役割を果たしている。その他の構成は、第１の実施の形態と同様であり、固定手段５を取り付けること等も同様に可能である。
【００２９】
（実験）
本願出願人が実験したところ、容器１の底面１ａが短硬毛で、しかも、底面１ａ側から順に所定幅で短硬毛・長柔毛（長くて柔らかい毛）・短硬毛の順に並んで植毛されたものが最も丈夫できめの細かな泡を早く豊富に泡立たせることができた。次に、上記短毛・長毛・短毛の順や硬毛・柔毛（柔らかい毛）・硬毛の順のものが第１の実施の形態の一律な硬さと長さのものより泡立ち効果の良いものが得られた。これは、上記底面１ａ側の操作と共に、長さ又は硬さの異なる二種以上のブラシがその位置を異ならせて配されていると、攪拌状態に変化が生まれること、更に、下方から上方への片手の動きにマッチすること等の要因が考えられる。また、泡立ち効率の良い第２の実施の形態は、二種以上の長さ又は硬さのブラシ毛を全体的に混合させたものよりも、きめの細かな泡を早く豊富に泡立たせることができた。なお、第２の実施の形態は、二種以上の長さ又は硬さのブラシ毛を全体的に混合させたものよりも、製造が容易である。
【００３０】
（第３の実施の形態）
本実施の形態の洗浄剤の泡立て器は、図７に示すように、容器１が分割できるとともに、分割した部分を任意に組替え可能に構成されている。すなわち、第２の実施の形態において、内壁面のブラシＢは、その長さ又は硬さの異なる二種以上のブラシＢ（Ｂ１，Ｂ２，Ｂ３，Ｂａ，Ｂｂ，Ｂｃ）がその位置を異ならせて植毛されていると、泡立ち効果が良かったことから、その配列を任意に変更可能にしたものである。本実施の形態では、容器１がその高さ方向に４分割可能１Ａ，１Ｂ，１Ｃ，１Ｄに構成されており、上記の各分割容器１Ａ，１Ｂ，１Ｃの各々に、長さ又は硬さの異なる二種以上のブラシＢが各内壁面１ｂに植毛されて、その位置が異ならされている。すなわち、容器１の分割された部分１Ａ，１Ｂ，１Ｃごとに、ブラシＢの長さや硬さが異ならされている。４つの分割容器のうち一つの分割容器１Ａは容器１の内壁面１ｂを構成する部分と底面１ａを構成する部分とが一体となっているが、これらの部分をも分割させて別体とし、さらに組替えの自由度を高めても良い。分割容器１Ｄには、ブラシＢは植毛されていない。各分割容器１Ａ，１Ｂ，１Ｃ，１Ｄは連結手段６によって連結可能となっている。連結手段６としては、図７に示すように各分割容器１Ａ，１Ｂ，１Ｃ，１Ｄの上側の連結箇所（上端）において容器内周に沿って設けられたＬ字状の段差６ａと下側の連結箇所（下端）において容器外周に沿って設けられたＬ字状の段差６ｂとを、各段差６ａ，６ｂに沿って設けられたネジ溝６ｃとネジ山６ｄとを螺合させることにより、互いに嵌合させる構成が好ましい。このような構成の連結手段とすると、ネジ溝６ｃ及びネジ山６ｄにより各分割容器１Ａ，１Ｂ，１Ｃ，１Ｄが連結されるとともに段差６ａ，６ｂにより容器１外部への水漏れや泡漏れが防止される。このような分割構成は、４分割以上の構成でも、４分割以下の構成でも良い。
【００３１】
本実施の形態の洗浄剤の泡立て器１を使用する場合は、顔や手や髪などを洗浄したり髭剃り用等に使用する等のその目的や使用する泡の量等を想定して、所定の配列に容器１を組み立てる。このように使用することで、その目的等に応じた洗浄剤が泡立てられることとなる。その他の構成は、第１と第２の実施の形態と同様であり、固定手段５を取り付けること等も同様に可能である。
【００３２】
以上、上記各実施の形態では、洗浄剤の例として、洗顔クリームを例に説明したが、石けん水等の液体状の洗浄剤や、粉状石けん・固形石けん等の洗浄剤を使用して泡を作り出すことも可能である。石けん水等の液体状の洗浄剤の場合は、水や湯を洗浄剤とは別に容器１内に入れる必要はない。粉状石けん・固形石けん等の洗浄剤の場合は、水や湯を容器１内に入れる必要があるが、いずれにしても、簡易な構成の容器１により簡易な操作で洗浄剤を十分に泡立たせることができる。
【００３３】
【発明の効果】
本発明の洗浄剤の泡立て器によれば、上方が開口した容器の少なくとも内壁面に、泡立て用のブラシが植毛されているか、又は、上方が開口した容器の内壁面と内側の底面に、泡立て用のブラシが植毛されているという、簡易な構成の容器により簡易な操作で洗浄剤を十分に泡立たせ、丈夫できめの細かな泡が早く豊富に作り出すことができる。また、必要な量の泡を作り置くことが可能であり、容器から泡を何度もすくうようにして、溜められた泡を繰り返し使用することができる。さらに、容器内を攪拌するだけで洗浄剤を泡立てることができるため、片手に障害がある場合や一方の手に物を持っている場合などの片方の手しか使用できない場合にも簡単に洗浄剤を泡立てることができる。
【００３４】
【図面の簡単な説明】
【図１】本発明の第１の実施の形態の洗浄剤の泡立て器を示す斜視図
【図２】上記第１の実施の形態の洗浄剤の泡立て器と固定手段を示す正面図
【図３】上記第１の実施の形態の洗浄剤の泡立て器の使用状態を説明する図
【図４】上記第１の実施の形態の洗浄剤の泡立て器の使用状態を説明する図
【図５】本発明の第２の実施の形態の長さ（及び硬さ）の異なるブラシを備える洗浄剤の泡立て器を示す斜視図
【図６】上記第２の実施の形態の硬さの異なるブラシを備える洗浄剤の泡立て器の断面図
【図７】本発明の第３の実施の形態の洗浄剤の泡立て器の斜視図
【符号の説明】
Ｂ　　内壁面のブラシ
ＢＢ　底面のブラシ
Ｂ１　第１の所定長ブラシ（短毛）
Ｂ２　第２の所定長ブラシ（長毛）
Ｂ３　第３の所定長ブラシ（短毛）
Ｂａ　第１の所定硬ブラシ（硬い毛）
Ｂｂ　第２の所定硬ブラシ（柔らかい毛）
Ｂｃ　第３の所定硬ブラシ（硬い毛）
１　　洗浄剤の泡立て器（容器）
１ａ　内側の底面
１ｂ　内壁面
１ｃ　開口部
１Ａ，１Ｂ，１Ｃ，１Ｄ　分割容器
５　　固定手段
５ａ　吸盤
５ｂ　金具
６　　連結手段
６ａ，６ｂ　段差
６ｃ　ネジ溝
６ｄ　ネジ山
【図１】
2004113287.tif 000003
【図２】
2004113287.tif 000004
【図３】
2004113287.tif 000005
【図４】
2004113287.tif 000006
【図５】
2004113287.tif 000007
【図６】
2004113287.tif 000008
【図７】
2004113287.tif 000009